(57)【要約】【課題】  走査線に各種信号を供給するに当たって、簡易な処理、比較的に小規模の回路、低消費電力等を実現する。【解決手段】Ｎ個の発光素子（Ｎは自然数）の各々は、その駆動に関与する複数種類の制御信号と対応付けられる。スタートパルス信号（ＳＰ）はクロック信号の周期に応じたパルス幅をもち、シフトレジスタを構成する複数段の単位シフト回路から順次出力される起点パルス信号（図中ｎｏｄｅＡ，ｎｏｄｅＢ参照）は、前記スタートパルス信号のパルス幅に応じたパルス幅をもつ。そして、信号生成回路は、前記複数種類の制御信号のうちの２以上の種類の制御信号（ＧＰＲＥ，ＧＩＮＩ）を、前記単位シフト回路のうちの１つが生成する前記起点パルス信号の有無及び当該起点パルス信号のパルス幅に応じて、生成する。【選択図】図４
2010175586.tif 000002
【特許請求の範囲】
【請求項１】
Ｎ個の発光素子（Ｎは自然数）と、
前記Ｎ個の発光素子の各々に対応して、その駆動に関与する複数種類の制御信号を供給するための複数の配線からなる走査線と、
クロック信号の周期に応じたパルス幅をもつスタートパルス信号を生成するスタートパルス信号生成手段と、
前記Ｎに応じたＺ個（Ｚは自然数）からなり、その各々が前記スタートパルス信号のパルス幅に応じたパルス幅をもつ起点パルス信号を、当該Ｚ個の順番に従って順次生成する、Ｚ個の単位シフト回路と、
前記Ｚ個の単位シフト回路のうちの１つが生成する前記起点パルス信号の有無及び当該起点パルス信号のパルス幅に応じて、前記複数種類の制御信号のうちの２以上の種類の制御信号を生成し、当該制御信号を前記配線のうち該制御信号に対応する配線に供給する信号生成回路と、
を備えることを特徴とする発光装置。
【請求項２】
前記スタートパルス信号生成手段は、
前記複数の発光素子の各々を一通り駆動する間に、１回だけ、前記スタートパルス信号を生成する、
ことを特徴とする請求項１に記載の発光装置。
【請求項３】
前記信号生成回路は、
前記２以上の種類の制御信号のうちの少なくとも１つを、
当該２以上の種類の制御信号のうちの他の１つに基づいて生成する、
ことを特徴とする請求項１又は２に記載の発光装置。
【請求項４】
前記信号生成回路はＺ個あり、その各々は、
第１ＮＡＮＤ回路、該第１ＮＡＮＤ回路から出力される原信号の入力を受けるインバータ回路、及び、第２ＮＡＮＤ回路、
を含み、
前記Ｚ個の信号生成回路のうちの、
第ｐ番目の信号生成回路（ｐは、ｐ≦Ｎ−１を満たす自然数）に含まれる、前記第１及び第２ＮＡＮＤ回路は、それぞれ、
第ｐ番目及び第（ｐ＋１）番目の前記単位シフト回路から出力される前記起点パルス信号の入力を受け、並びに、
当該第ｐ番目の信号生成回路に含まれる前記インバータ回路から出力される信号、及び、第（ｐ＋１）番目の信号生成回路に含まれる前記第１ＮＡＮＤ回路から出力される前記原信号、の入力を受け、
当該第ｐ番目の信号生成回路は、
前記第１ＮＡＮＤ回路の出力に基づいて、前記複数種類の制御信号の１つを生成し、
前記第２ＮＡＮＤ回路の出力に基づいて、前記複数種類の制御信号の他の１つを生成する、
ことを特徴とする請求項１乃至３のいずれか一項に記載の発光装置。
【請求項５】
前記Ｎ個の発光素子の各々を駆動するためのＮ個の単位回路を更に備え、
前記単位回路は、
ゲート電位の変動に応じた大きさの駆動電流を前記発光素子に供給する駆動トランジスタを含み、
前記複数種類の制御信号には、
前記駆動トランジスタの閾値電圧を補償するための補償制御信号が含まれる、
ことを特徴とする請求項１乃至４のいずれか一項に記載の発光装置。
【請求項６】
前記複数種類の制御信号には、
前記駆動トランジスタのゲート電位を初期化するための初期化信号が更に含まれる、
ことを特徴とする請求項５に記載の発光装置。
【請求項７】
前記複数種類の制御信号のうちの少なくとも１種類の制御信号は、
前記Ｎ個の発光素子のうちの第ｐ番目の発光素子に向けて供給されるとともに、
第ｑ番目の発光素子（ｑは、ｑ≦Ｎかつｑ≠ｐを満たす自然数）にも向けて供給される、
ことを特徴とする請求項１乃至６のいずれか一項に記載の発光装置。
【請求項８】
請求項１乃至７のいずれか一項に記載の発光装置を備える、
ことを特徴とする電子機器。
【発明の詳細な説明】
【技術分野】
【０００１】
本発明は、有機ＥＬ（electro luminescent）素子等を含む発光装置及びこれを備える電子機器に関する。
【背景技術】
【０００２】
薄型で軽量な発光源として、ＯＬＥＤ（organic light emitting diode）、即ち有機ＥＬ素子がある。有機ＥＬ素子は、有機材料を含む少なくとも一層の有機薄膜を画素電極と対向電極とで挟んだ構造を有する。このうち画素電極は例えば陽極として、対向電極は陰極として機能する。両者間に電流が流されると、前記有機薄膜で電子及び正孔間の再結合が生じ、これに起因して、当該有機薄膜ないしは有機ＥＬ素子は発光する。
かかる有機ＥＬ素子、ないしはこれを備えた画像表示装置としては、例えば特許文献１及び２に開示されているようなものが知られている。
【先行技術文献】
【特許文献】
【０００３】
【特許文献１】特開２００６−１１３３２５号公報
【特許文献２】特開２００７−３１６４６２号公報
【発明の概要】
【発明が解決しようとする課題】
【０００４】
ところで、上述のような有機ＥＬ素子は、適当な構成をもつ駆動回路によって駆動される。駆動回路としては例えば、ｐチャネル型の駆動トランジスタのゲート電位に応じてそのソース・ドレイン間に流れる電流を有機ＥＬ素子に供給するものがある。
もっとも、このような駆動回路には様々な解決すべき課題がある。例えば、当該駆動トランジスタの閾値電圧のバラツキにより発光輝度がばらつき、その結果、表示画像の品質が低下する、等々である。
【０００５】
前記の特許文献２は、このような問題に対処する技術を開示する。すなわち、特許文献２は、駆動トランジスタにおいてダイオード接続を実現することにより、そのゲート電位を、“（電源電圧）−（閾値電圧）”（以下、「補償後電位」ということがある。）に設定し、これにより閾値電圧のバラツキに起因する悪影響を排除する。この場合、特許文献２では特に、このようなダイオード接続を伴う「補償期間」を、「１水平走査期間で完了させる必要」から開放していることに特徴の１つがある（特許文献２の〔０００６〕〔００２９〕、あるいは〔図２〕等参照）。これによって、前述のゲート電位は、より確実に、前記補償後電位に設定され得るようになっており、また、補償期間と画像データ書込期間とは基本的に独立に設定可能となるので、一方の時間を長くとると他方が犠牲になるということもない、などといった各種の利点も得られるようになっている。
【０００６】
しかしながら、この場合、以下の改善すべき課題がある。すなわち、上記特許文献２に開示される技術では、補償期間を設定するための信号（特許文献２では、〔図３〕等に示される、駆動トランジスタＴｄｒのダイオード接続の成否に係るトランジスタ「Ｔｒ４」のＯＮ・ＯＦＦを司る信号である。）を生成するための回路の構成が若干複雑になるおそれがあることである。特に、前述のように、当該信号の独立性を維持しようとすると、回路規模が増大してしまうおそれもある。
この点、前記特許文献１が開示する技術、即ち「スタート信号線」に「スタート信号」と「消灯タイミング信号」という異なるパルス幅をもつ信号を生成するデコーダ回路を備える技術（特許文献１の〔図８〕〔請求項１〕等参照）を応用すれば、回路規模の増大といった不具合を被るおそれは少なくなる。とはいえ、そのような態様の信号生成は一般に容易ではないため、当該の処理の複雑さが増大し、あるいは、それに見合ったコストの増大が見込まれる、などといった課題がなおある。
また、この特許文献１等のような技術では、スタートパルスが、１フレーム中複数回アクティブとなる（ハイレベル・ローレベルの往還が複数回繰り返される）ので、それを生成する信号生成回路内での貫通電流や、各種寄生容量の充放電等によって消費電力が増大するといったおそれもある。
【０００７】
本発明は、上述した課題の少なくとも一部を解決することの可能な発光装置及び電子機器を提供することを課題とする。
また、本発明は、かかる態様の発光装置、あるいは電子機器に関連する課題を解決可能な、発光装置、あるいは電子機器を提供することをも課題とする。
【課題を解決するための手段】
【０００８】
本発明に係る発光装置は、上述した課題を解決するため、Ｎ個の発光素子（Ｎは自然数）と、前記Ｎ個の発光素子の各々に対応して、その駆動に関与する複数種類の制御信号を供給するための複数の配線からなる走査線と、クロック信号の周期に応じたパルス幅をもつスタートパルス信号を生成するスタートパルス信号生成手段と、前記Ｎに応じたＺ個（Ｚは自然数）からなり、その各々が前記スタートパルス信号のパルス幅に応じたパルス幅をもつ起点パルス信号を、当該Ｚ個の順番に従って順次生成する、Ｚ個の単位シフト回路と、前記Ｚ個の単位シフト回路のうちの１つが生成する前記起点パルス信号の有無及び当該起点パルス信号のパルス幅に応じて、前記複数種類の制御信号のうちの２以上の種類の制御信号を生成し、当該制御信号を前記配線のうち該制御信号に対応する配線に供給する信号生成回路と、を備える。
【０００９】
本発明によれば、スタートパルス信号生成手段は、基本的に、１種類のスタートパルス信号を生成し、かつ、信号生成回路は、これに応じて（より正確には、当該スタートパルス信号に応じた起点パルス信号に応じて）２以上の種類の制御信号を生成する。したがって、従来例のように、それぞれが異なるパルス幅をもつ「スタート信号線」及び「消灯タイミング信号」（いずれも、本発明における「スタートパルス信号」としての性格をもつといえる。）を生成するという処理が必要ないから、当該の処理の複雑さが増大し、あるいは、コストの増大が見込まれるといったことが回避される。なお、前記において、「起点パルス信号」の「起点」とは、制御信号生成の起点となるという意味合いが込められているが、それ以外に特別な意味はない。
また、本発明によれば、いわば１回の機会、あるいは１個の構成で、複数種類の制御信号のうちの２以上の制御信号が生成されるようになっているので、これらを別々の回路によって生成する、などといった場合に比べて、回路規模の縮小化を実現することができる。
【００１０】
なお、本発明において、スタートパルス信号のパルス幅が、「クロック信号の周期に応じ」るというのは、例えば、当該パルス幅がクロック信号の１周期分の長さに等しいという場合のほか、２周期分以上の長さに等しいとか、あるいは場合によっては、整数で表現できない周期分の長さに等しいという場合、等々も含む。
また、本発明において、起点パルス信号が、「Ｚ個の順番に従って順次」生成されるとは、例えば、Ｚ個の単位シフト回路に、１，２，…，Ｚという番号を付けたとすると、１番目，２番目，…，Ｚ番目の単位シフト回路が、この順番に起点パルス信号を生成するという場合を含むほか、その逆に、Ｚ番目，（Ｚ−１）番目，（Ｚ−２）番目，…，１番目の単位シフト回路が、この順番に起点パルス信号を生成するという場合を含む。ちなみに、本発明において、“Ｚ”は、“Ｎ”と一応使い分けられているが、これらに関しては、Ｎ＝Ｚ 又は Ｎ≠Ｚが成立してよい。
さらに、本発明において、「複数種類の制御信号」という場合、その中には例えば、ある種類の制御信号のパルス幅は前記クロック信号の１／４周期分の長さをもつが、他の種類の制御信号のパルス幅は２周期分の長さをもつ、などという場合、等々が含まれる。
【００１１】
この発明の発光装置では、前記スタートパルス信号生成手段は、前記複数の発光素子の各々を一通り駆動する間に、１回だけ、前記スタートパルス信号を生成する、ように構成してもよい。
この態様によれば、スタートパルス信号に関するハイレベル及びローレベルの往還は、いわゆる１フレーム期間（前述の「複数の発光素子の各々を一通り駆動する間」に相当する。）中、１回だけ行われることから、このスタートパルス信号生成手段その他の回路構成等を含む駆動回路内で、貫通電流や、各種寄生容量の充放電等によって消費電力が極端に増大するといったおそれがない。
【００１２】
本発明の発光装置では、前記信号生成回路は、前記２以上の種類の制御信号のうちの少なくとも１つを、当該２以上の種類の制御信号のうちの他の１つに基づいて生成する、ように構成してもよい。
この態様によれば、複数種類の制御信号のうちの１つが、他の１つに基づいて生成されることから、信号生成回路の回路構成を効率化・簡易化することが可能になる。また、本態様は、複数種類の制御信号を生成するための最も合理的な方法の１つを提供するということもできる。
【００１３】
本発明の発光装置では、前記信号生成回路はＺ個あり、その各々は、第１ＮＡＮＤ回路、該第１ＮＡＮＤ回路から出力される原信号の入力を受けるインバータ回路、及び、第２ＮＡＮＤ回路、を含み、前記Ｚ個の信号生成回路のうちの、第ｐ番目の信号生成回路（ｐは、ｐ≦Ｎ−１を満たす自然数）に含まれる、前記第１及び第２ＮＡＮＤ回路は、それぞれ、第ｐ番目及び第（ｐ＋１）番目の前記単位シフト回路から出力される前記起点パルス信号の入力を受け、並びに、当該第ｐ番目の信号生成回路に含まれる前記インバータ回路から出力される信号、及び、第（ｐ＋１）番目の信号生成回路に含まれる前記第１ＮＡＮＤ回路から出力される前記原信号、の入力を受け、当該第ｐ番目の信号生成回路は、前記第１ＮＡＮＤ回路の出力に基づいて、前記複数種類の制御信号の１つを生成し、前記第２ＮＡＮＤ回路の出力に基づいて、前記複数種類の制御信号の他の１つを生成する、ように構成してもよい。
この態様によれば、信号生成回路の好適な構成例の１つが提供される。なお、この態様に関する、より詳細な具体例については、後述する実施形態においても説明される。
【００１４】
本発明の発光装置では、前記Ｎ個の発光素子の各々を駆動するためのＮ個の単位回路を更に備え、前記単位回路は、ゲート電位の変動に応じた大きさの駆動電流を前記発光素子に供給する駆動トランジスタを含み、前記複数種類の制御信号には、前記駆動トランジスタの閾値電圧を補償するための補償制御信号が含まれる、ように構成してもよい。
この態様によれば、発光素子に駆動電流を供給する駆動トランジスタの閾値電圧を補償するための補償制御信号が、信号生成回路によって生成される。この場合、この補償制御信号は、前記起点パルス信号のパルス幅に応じて生成されることから、好適には例えば、当該パルス幅によって規定される比較的長い時間、閾値電圧補償動作を継続させることが可能である。これにより、よりよい閾値電圧補償が実行され得る。
なお、この態様に関する、より詳細な具体例（単位回路の詳細な構成、あるいはそれに基づく補償制御信号の具体的あり方等）については、後述する実施形態においても説明される。ちなみに、この点に関しては、後述する実施形態の変形例を説明する箇所における（３）の説明も参照されたい。
【００１５】
この態様では、前記複数種類の制御信号には、前記駆動トランジスタのゲート電位を初期化するための初期化信号が更に含まれる、ように構成してもよい。
この態様によれば、信号生成回路が生成する複数種類の制御信号の好適な具体例の１つが提供される。
なお、この態様においては、好適には、前記補償制御信号のパルス幅と、本態様に係る初期化信号のパルス幅とは異なっていることが好ましい。かかる態様の、より詳細な具体例については、後述する実施形態においても説明される。
また、本発明に係る「複数種類の制御信号」は、上述した「補償制御信号」、「初期化信号」のほか、例えば、前記発光素子の発光及び非発光を制御するための発光制御信号、あるいは、前記駆動トランジスタのゲート電位を所定の電位に設定するためのデータ信号の前記単位回路への書込の有無を司る書込信号（走査信号）、等々が含まれてよい。
【００１６】
この発明の発光装置では、前記複数種類の制御信号のうちの少なくとも１種類の制御信号は、前記Ｎ個の発光素子のうちの第ｐ番目の発光素子に向けて供給されるとともに、第ｑ番目の発光素子（ｑは、ｑ≦Ｎかつｑ≠ｐを満たす自然数）にも向けて供給される、ように構成してもよい。
この態様によれば、制御信号の効率的な利用が可能となり、信号生成回路の構成の効率化・簡易化、走査線に含まれる配線数の減少、等々の利点が享受され得る。
なお、この場合においては、第ｐ番目の単位回路における当該制御信号の“意味”と、第（ｐ＋１）番目の単位回路における当該制御信号の“意味”とは異ならせてあることが好ましい。例えば、前述した、「補償制御信号」等々の各種の制御信号の例を前提としていえば、当該制御信号は、第ｐ番目の単位回路においては“書込信号（走査信号）”としての意味をもち、第（ｐ＋１）番目の単位回路においては“補償制御信号”としての意味をもつ、などというようである。
【００１７】
また、本発明の電子機器は、上記課題を解決するために、上述した各種の発光装置を備える。
本発明によれば、上述した各種の発光装置を備えてなるので、制御信号生成処理の簡易化、回路規模の縮小化、消費電力低減、より確実な閾値電圧補償動作の実行、等々の各種の効果が享受される。
【図面の簡単な説明】
【００１８】
【図１】本発明の第１実施形態に係る有機ＥＬ装置を示すブロック図である。
【図２】図１の有機ＥＬ装置を構成する単位回路の詳細を示す回路図である。
【図３】図１の走査線駆動回路を構成するＰＲＥ・ＩＮＩ信号生成回路の詳細を示すブロック図である。
【図４】図３のＰＲＥ・ＩＮＩ信号生成回路の動作を説明するためのタイミングチャートである。
【図５】図３のＰＲＥ・ＩＮＩ信号生成回路を備えることによって回路規模が縮小することを説明するための説明図である。
【図６】図３のＰＲＥ・ＩＮＩ信号生成回路を備えない従来例において、回路規模が大きくなることを説明するための説明図である。
【図７】図３と同趣旨の図であって、本発明の第２実施形態に係るＰＲＥ・ＩＮＩ信号生成回路の詳細を示すブロック図である。
【図８】図７のＰＲＥ・ＩＮＩ信号生成回路の動作を説明するためのタイミングチャートである。
【図９】図３と同趣旨の図であって、本発明の第３実施形態に係る全信号生成回路の詳細を示すブロック図である。
【図１０】図９のＰＲＥ・ＩＮＩ信号生成回路を備えることによって回路規模が縮小することを説明するための説明図である。
【図１１】本発明の実施形態の変形例であって、初期化動作が複数回行われる場合のタイミングチャートである。
【図１２】本発明の実施形態の変形例であって、自段の単位回路用の走査信号が、次段の単位回路用の補償制御信号に共用される形態を示す図である。
【図１３】本発明に係る有機ＥＬ装置を適用した電子機器を示す斜視図である。
【図１４】本発明に係る有機ＥＬ装置を適用した他の電子機器を示す斜視図である。
【図１５】本発明に係る有機ＥＬ装置を適用したさらに他の電子機器を示す斜視図である。
【発明を実施するための形態】
【００１９】
＜第１実施形態＞
以下では、本発明に係る第１実施形態について図１乃至図４を参照しながら説明する。なお、ここに言及した図１乃至図４に加え、以下で参照する各図面においては、各部の寸法の比率が実際のものとは適宜に異ならせてある場合がある。
【００２０】
有機ＥＬ装置１００は、図１に示すように、素子基板７と、この素子基板７上に形成される各種の要素とを備えている。各種の要素とは、有機ＥＬ素子８、走査線３及びデータ線６、電源線１１３、走査線駆動回路１０３、データ線駆動回路１０６、並びにタイミング生成回路３００である。
【００２１】
有機ＥＬ素子（発光素子）８は、図１に示すように、素子基板７上に複数備えられる。それら複数の有機ＥＬ素子８はＮ行×Ｍ列のマトリクス状に配列されている（Ｎ，Ｍは自然数）。有機ＥＬ素子８の各々は、陽極としての画素電極、発光機能層及び陰極としての対向電極から構成されている。
画像表示領域７ａは、素子基板７上、これら複数の有機ＥＬ素子８が配列されている領域である。画像表示領域７ａでは、各有機ＥＬ素子８の個別の発光及び非発光に基づき、所望の画像が表示され得る。なお、以下では、素子基板７の面のうち、この画像表示領域７ａを除く領域を、「周辺領域」と呼ぶ。
【００２２】
走査線３及びデータ線６は、それぞれ、マトリクス状に配列された有機ＥＬ素子８の各行及び各列に対応するように配列されている。より詳しくは、走査線３は、図１に示すように、図中左右方向に沿って延び、かつ、周辺領域上に形成されている走査線駆動回路１０３に接続されている。一方、データ線６は、図中上下方向に沿って延び、かつ、周辺領域上に形成されているデータ線駆動回路１０６に接続されている。なお、電源線１１３は、データ線６と並行するように配列されている。この電源線１１３には、高電源電位Ｖｅｌが供給される。
前記のうち走査線駆動回路１０３は、走査線３のそれぞれを順番に選択するための回路である。また、データ線駆動回路１０６は、走査線駆動回路１０３によって選択された走査線３に対応する各有機ＥＬ素子８に向けて、各データ線６を通じてデータ信号を供給するための回路である。第１実施形態においては、走査線駆動回路１０３の構成及び動作について特徴があるが、この点については後述する。
【００２３】
タイミング生成回路３００は、走査線駆動回路１０３及びデータ線駆動回路１０６を駆動するためのクロック信号ＣＬＫ、スタートパルス信号（転送開始パルス信号）ＳＰを生成する。第１実施形態では特に、スタートパルス信号ＳＰのパルス幅が、クロック信号ＣＬＫの周期に応ずるように定められている。より具体的には、後に改めて参照する図４に示すように、第１実施形態に係るスタートパルス信号ＳＰのパルス幅は、クロック信号ＣＬＫの１周期の長さに対応している。
なお、これらクロック信号ＣＬＫ及びスタートパルス信号ＳＰは、両回路（１０３，１０６）の別に応じて例えば周期、位相等の態様の異なるものが生成されてもよいし、そのうちの全部又は一部が両回路（１０３，１０６）間で共用されてもよい。
【００２４】
各走査線３及び各データ線６の各交点の近傍には、前述の有機ＥＬ素子８等を含む単位回路（画素回路）Ｐが設けられている。
単位回路Ｐは、図２に示すように、有機ＥＬ素子８を含むほか、駆動トランジスタＴｄｒ、発光制御トランジスタＴｅｌ、第１〜第４トランジスタＴｒ１〜Ｔｒ４、及び第１〜第３容量素子Ｃ１〜Ｃ３を含む。
なお、図１では便宜的に１本の配線として図示された走査線３は、図２に示すように実際には４本の配線を含む。各配線には走査線駆動回路１０３から所定の信号が供給される。より詳細には、これら各配線には、それぞれ、走査信号ＧＷＲＴ[ｉ]、補償制御信号ＧＩＮＩ[ｉ]、初期化信号ＧＰＲＥ[ｉ]、及び発光制御信号ＧＥＬ[ｉ]が供給される。これら各信号の具体的な意義やこれに応じた単位回路Ｐの動作については後述する。なお、ここで使われた記号ｉは、前記マトリクス状配列の中の行番号を意味する（図１参照。１本の走査線３が４本の配線からなるので、全走査線３に含まれる配線数は結局、４Ｎ本である。）。また、これら各信号（ＧＷＲＴ[ｉ]，ＧＩＮＩ[ｉ]，ＧＰＲＥ[ｉ]，ＧＥＬ[ｉ]）は、本発明にいう「発光素子の各々に対応して、その駆動に関与する複数種類の制御信号」の一具体例に該当する。
【００２５】
駆動トランジスタＴｄｒはｐチャネル型であり、電源線１１３から有機ＥＬ素子８の画素電極に至る経路上にある。この駆動トランジスタＴｄｒのソース（Ｓ）は電源線１１３に接続される。
この駆動トランジスタＴｄｒは、ソース（Ｓ）とドレイン（Ｄ）との導通状態（ソース−ドレイン間の抵抗値）がゲート電位Ｖgに応じて変化することで当該ゲート電位Ｖgに応じた駆動電流Ｉelを生成する手段である。なお、ゲート電位Ｖｇは、データ線６を通じて供給されるデータ信号Ｄａｔａの大きさに応じる。
こうして、有機ＥＬ素子８は、駆動トランジスタＴｄｒの導通状態、ないしはデータ信号Ｄａｔａに応じて駆動される。
【００２６】
発光制御トランジスタＴｅｌは、ｎチャネル型であり、駆動トランジスタＴｄｒと有機ＥＬ素子８の画素電極との間にある。この発光制御トランジスタＴｅｌのゲートには、前記発光制御信号ＧＥＬ[ｉ]が供給される。この発光制御信号ＧEL[ｉ]がハイレベルに遷移すると発光制御トランジスタＴｅｌがオン状態に変化して有機ＥＬ素子８に対する駆動電流Ｉｅｌの供給が可能となる。これにより、有機ＥＬ素子８は駆動電流Ｉｅｌに応じた階調（輝度）で発光する。これに対して、発光制御信号ＧＥＬ[ｉ]がローレベルである場合には発光制御トランジスタＴｅｌがオフ状態を維持するから、駆動電流Ｉｅｌの経路が遮断されて有機ＥＬ素子８は消灯する。
なお、有機ＥＬ素子８の画素電極は、前記駆動トランジスタＴｄｒを介して前述した高電源電位Ｖｅｌが供給される電源線１１３に接続され、その対向電極は低電源電位ＶＣＴが供給される電位線（不図示）に接続される。
【００２７】
第１〜第３容量素子Ｃ１〜Ｃ３は、いずれも、２つの電極間に誘電体が介挿された素子である。それぞれの容量値は、Ｃｈ１，Ｃｈ２及びＣｃである。
第１容量素子Ｃ１の一方の電極及び第２容量素子Ｃ２の一方の電極（いずれも図中上方の電極）は電源線１１３に接続される。また、第１容量素子Ｃ１の他方の電極は第３容量素子Ｃ３の一方の電極（図中右方の電極）に接続され、第２容量素子Ｃ２の他方の電極は第３容量素子Ｃ３の他方の電極（図中左方の電極）に接続される。
【００２８】
第１トランジスタＴｒ１は、ノードＺ１とデータ線６との間に介在して両者の電気的な接続を制御するスイッチング素子である。第１トランジスタＴｒ１のゲートには前記の走査信号ＧＷＲＴ[ｉ]が供給される。
第４トランジスタＴｒ４は、初期化電位ＶＳＴが供給される電位線（不図示）と駆動トランジスタＴｄｒのドレインとの間に設けられ両者の電気的な接続を制御するスイッチング素子である。第４トランジスタＴｒ４のゲートには前記の初期化信号ＧＲＰＥ[ｉ]が供給される。なお、ＶＳＴは、ＶＳＴ＜Ｖｅｌ−Ｖｔｈを満たす。ここでＶｔｈは駆動トランジスタＴｄｒの閾値電圧である。
【００２９】
第２トランジスタＴｒ２は、ノードＺ１と初期化電位ＶSTが供給される電位線との間に設けられ両者の電気的な接続を制御するスイッチング素子である。第２トランジスタＴｒ２のゲートには前記の補償制御信号ＧＩＮＩ[ｉ]が供給される。
第３トランジスタＴｒ３は、ノードＺ２と駆動トランジスタＴｄｒのドレインとの間に設けられ両者の電気的な接続を制御するスイッチング素子である。第３トランジスタＴｒ３のゲートには補償制御信号ＧＩＮＩ[ｉ]が供給される。補償制御信号ＧＩＮＩ[ｉ]は、第２及び第３トランジスタＴｒ２及びＴｒ３間で共用される。
【００３０】
このような構成の単位回路Ｐは、以下の各ステップを踏んで動作する。
〔ｉ〕初期化：  初期化信号ＧＰＲＥ[ｉ]及び補償制御信号ＧＩＮＩ[ｉ]がハイレベルとなることで、第２〜第４トランジスタＴｒ２〜Ｔｒ４がＯＮとなり、これにより、第３容量素子Ｃ３は放電するとともに、初期化電位ＶＳＴをもつ。
〔ｉｉ〕補償：  初期化信号ＧＰＲＥ[ｉ]がローレベルに遷移して第４トランジスタＴｒ４がＯＦＦとなり、補償制御信号ＧＩＮＩ[ｉ]がハイレベルを維持する。これにより、駆動トランジスタＴｄｒはダイオード接続され、そのゲート・ソース間電圧が閾値電圧Ｖｔｈに漸近し、したがってゲート電位Ｖｇは、Ｖｇ＝Ｖｅｌ−Ｖｔｈに漸近する。なお、この一連の過程中、第１容量素子Ｃ１は閾値電圧Ｖｔｈを保持する。
〔ｉｉｉ〕データ書込：  補償制御信号ＧＩＮＩ[ｉ]がローレベルに遷移して第２・第３トランジスタＴｒ２・Ｔｒ３がＯＦＦとなる一方、走査信号ＧＷＲＴ[ｉ]がハイレベルとなることで、第１トランジスタＴｒ１がＯＮとなる。この際、適当な電位をもつデータ信号がデータ線６を通じて供給されると、それに応じて第３容量素子Ｃ３の電極（図中左方の電極）の電位が変動し、さらにそれに伴って駆動トランジスタＴｄｒのゲート電位Ｖｇが変動する。ここで「適当な電位」というのは、当該の有機ＥＬ素子８の発光階調に加えて、第１・第３容量素子Ｃ１・Ｃ３による分圧等の影響を勘案した上で設定される電位であることを含意する。結局、ゲート電位Ｖｇは、データ信号の大きさに応じて変動する。
〔ｉｖ〕駆動：  走査信号ＧＷＲＴ[ｉ]がローレベルに遷移して第１トランジスタＴｒ１がＯＦＦとなる一方、発光制御信号ＧＥＬ[ｉ]がハイレベルとなることで、発光制御トランジスタＴｅｌがＯＮとなる。これにより、有機ＥＬ素子８には、ゲート電位Ｖｇに応じた大きさの駆動電流Ｉｅｌが駆動トランジスタＴｄｒから供給されることになり、当該有機ＥＬ素子８は発光する。
【００３１】
以上のほか、第１実施形態に係る有機ＥＬ装置１００では特に、前記の走査線駆動回路１０３が、図３に示すような構成を備えたＰＲＥ・ＩＮＩ信号生成回路５０を含む。ここで、“ＰＲＥ・ＩＮＩ信号生成回路”（その中でも特に “ＰＲＥ・ＩＮＩ”）というネーミングは、当該の回路が前述した初期化信号Ｇ“ＰＲＥ”[ｉ]と補償制御信号Ｇ“ＩＮＩ”[ｉ]とを生成することに由来している。
このＰＲＥ・ＩＮＩ信号生成回路５０は、図３に示すように、シフトレジスタ５１（ｉ）、原信号生成回路５２（ｉ）、デコーダ５３（ｉ）、及び出力回路７１（ｉ）を備えている（なお、記号ｉの意義は、前述と同様、前記マトリクス状配列の中の行番号を意味する。）。これらのうちシフトレジスタ５１（ｉ）及び原信号生成回路５２（ｉ）のそれぞれは同数存在し、デコーダ５３（ｉ）は、それよりも１だけ少ない数存在する。つまり、前二者はＮ個、後一者は（Ｎ−１）個ある。
【００３２】
シフトレジスタ５１（ｉ）は、クロック信号ＣＬＫに応じた間隔で、順次（即ち、ｉ＝１，２，…，Ｎの順に従って）、所定の幅をもつパルス信号を出力する。
最前段のシフトレジスタ５１（１）は、クロック信号ＣＬＫのほか、スタートパルス信号ＳＰの入力も受ける。シフトレジスタ５１（１）によって出力される最初のパルス信号は、これら両信号（ＣＬＫ，ＳＰ）の入力に応じる。以後、それよりも後段に位置するシフトレジスタ５１（ｉ）は、それぞれの前段のシフトレジスタ５１（ｉ−１）から出力される開始信号（１段目のシフトレジスタ５１（１）に入力するスタートパルス信号ＳＰに相当する機能をはたす。）及びクロック信号ＣＬＫに応じて、前記パルス信号を順次出力する。
各シフトレジスタ５１（ｉ）から出力されるパルス信号は、前記所定の幅として、スタートパルス信号ＳＰがもつパルス幅と同じパルス幅をもつ。したがって、第１実施形態では、スタートパルス信号ＳＰが上述のようにクロック信号ＣＬＫの１周期の長さをもつことに応じて、当該パルス信号のパルス幅も、同じ長さをもつことになる（図４中の「ｎｏｄｅＡ」あるいは「ｎｏｄｅＢ」参照。この点については後に改めて触れる。）。
なお、シフトレジスタ５１のより具体的な回路構成としては様々なものがあるが、本発明は、基本的にどのような態様でも採用可能である。例えば好適には、特開２００６−１１３３２５号公報に開示されるシフトレジスタの構成などが参考になる。本発明は、かかる形態のシフトレジスタを、その範囲内に含む。
また、上記のシフトレジスタ５１（１），５１（２），…，５１（Ｎ）の１個１個は、本発明にいう「単位シフト回路」の一具体例に該当する。
【００３３】
原信号生成回路５２（ｉ）は、シフトレジスタ５１（ｉ）から出力されたパルス信号に応じて、原信号を生成する。ここで原信号とは、初期化信号ＧＰＲＥ[ｉ]及び補償制御信号ＧＩＮＩ[ｉ]の基となる信号という意味である。
この原信号生成回路５２（ｉ）は、より具体的には例えば、図３に示すように、ＮＡＮＤ回路５２１（ｉ）を含む。このＮＡＮＤ回路５２１（ｉ）は、シフトレジスタ５１（ｉ）とその後段に位置するシフトレジスタ５１（ｉ＋１）の各々から出力された前記パルス信号の入力を受ける。ＮＡＮＤ回路５２１（ｉ）は、両パルス信号の論理関係に応じて、ハイレベル又はローレベルの原信号を出力する。
【００３４】
デコーダ５３（ｉ）は、原信号生成回路５２（ｉ）、ないしはＮＡＮＤ回路５２１（ｉ）から出力された信号に応じて、前記原信号を変換した信号（以下、「変換原信号」という。）を生成する。
このデコーダ５３（ｉ）は、より具体的には例えば、図３に示すように、ＮＡＮＤ回路５３１（ｉ）、及び、負論理入力端をもつインバータ５３２（ｉ）を含む。インバータ５３２（ｉ）は、前述した原信号生成回路５２（ｉ）から出力された原信号の入力を受ける。また、インバータ５３２（ｉ）の出力は、ＮＡＮＤ回路５３１（ｉ）への入力となる。このＮＡＮＤ回路５３１（ｉ）はまた、その後段に位置付けられる原信号生成回路５２（ｉ＋１）から出力された原信号の入力も受ける。ＮＡＮＤ回路５３１（ｉ）は、これらの２入力の論理関係に応じ、ハイレベル又はローレベルの変換原信号を出力する。
【００３５】
出力回路７１（ｉ）は、前述の原信号及び変換原信号の入力を受けて、初期化信号ＧＰＲＥ[ｉ]及び補償制御信号ＧＩＮＩ[ｉ]を出力する。
この出力回路７１（ｉ）は、より具体的には例えば、図３に示すように、２つのＮＯＲ回路７１１（ｉ）及び７１２（ｉ）を含む。これらＮＯＲ回路７１１（ｉ）及び７１２（ｉ）は、それぞれ、２つの負論理入力端をもつ。
ＮＯＲ回路７１１（ｉ）は、その一方の入力端子に前記原信号の入力を受け、他方の入力端子に制御信号ＥＭＢＢＧＰの入力を受ける。ＮＯＲ回路７１１（ｉ）は、これら各信号の論理関係に応じて、ハイレベル又はローレベルの初期化信号ＧＰＲＥ[ｉ]を出力する。なお、制御信号ＥＭＢＢＧＰは、クロック信号ＣＬＫの２倍の周期でハイレベル及びローレベル間を遷移する信号である（後述する図４参照）。
また、ＮＯＲ回路７１２（ｉ）は、その一方の入力端子に前記変換原信号の入力を受け、他方の入力端子に制御信号ＥＭＢＢＧＩＮの入力を受ける。ＮＯＲ回路７１２（ｉ）は、これら各信号の論理関係に応じて、ハイレベル又はローレベルの補償制御信号ＧＩＮＩ[ｉ]を出力する。なお、制御信号ＥＭＢＢＧＩＮは、常に、ローレベルの信号である（後述する図４参照）。
【００３６】
次に、以上のような構成をもつ有機ＥＬ装置１００、特に前記ＰＲＥ・ＩＮＩ信号生成回路５０の動作ないし作用及び効果について、既に参照した図１乃至図３に加えて図４及び図５を参照しながら説明する。
まず、スタートパルス信号ＳＰがローレベルからハイレベルに遷移した後、クロック信号ＣＬＫもローレベルからハイレベルに遷移すると、シフトレジスタ５１（１）は、ハイレベルのパルス信号を出力する。これにより、図３のノードＡは、図４に示すように、ローレベルからハイレベルに遷移する（図４中の期間αの開始）。なお、既に述べたように、スタートパルス信号ＳＰのパルス幅は、クロック信号ＣＬＫの１周期分の長さに相当する。
この期間αの段階では、次段のシフトレジスタ５１（２）から出力されるパルス信号はローレベルであるから、原信号生成回路５２（１）ないしＮＡＮＤ回路５２１（１）は、ハイレベルの原信号を出力する。
また、この段階においては、制御信号ＥＭＢＢＧＰはローレベルであるので、出力回路７１（１）内のＮＯＲ回路７１１（１）はローレベルの信号を出力する。
すなわち、この段階における初期化信号ＧＰＲＥ[１]はローレベルである。
なお、この期間α内の後半では、制御信号ＥＭＢＢＧＰがハイレベルに遷移するが、これによってＮＯＲ回路７１１（１）の出力は影響を受けない。つまり、この期間α中、初期化信号ＧＰＲＥ[１]はローレベルを維持する。
【００３７】
他方、この段階において、デコーダ５３（１）はハイレベルの変換原信号を出力する。
すなわち、このデコーダ５３（１）内のインバータ５３２（１）には前記ハイレベルの原信号が入力するので、当該インバータ５３２（１）はローレベルの信号を出力する。他方、次段の原信号生成回路５２（２）は、当該の段のシフトレジスタ５１（２）及び更にその次段のシフトレジスタ５１（３）がともにローレベルのパルス信号を出力しているので、ハイレベルの原信号を出力する。したがって、このデコーダ５３（１）に含まれるＮＡＮＤ回路５３１（１）は、ハイレベルの変換原信号を出力する。
また、この期間αにおいて、制御信号ＥＭＢＢＧＩＮはローレベルであるので、出力回路７１（１）内のＮＯＲ回路７１２（１）はローレベルの信号を出力する。
すなわち、この段階における補償制御信号ＧＩＮＩ[１]はローレベルである。
【００３８】
続いて、シフトレジスタ５１（２）は、前段のシフトレジスタ５１（１）から出力される開始信号に応じ、クロック信号ＣＬＫがハイレベルからローレベルへと遷移する時に、ハイレベルのパルス信号を出力する。これにより、図３のノードＢは、ローレベルからハイレベルに遷移する（図４中の期間βの開始）。
この期間βの段階では、前段のシフトレジスタ５１（１）はなおハイレベルを維持しているので、原信号生成回路５２（１）はローレベルの原信号を出力する。
また、この段階においては、制御信号ＥＭＢＢＧＰはローレベルであるので、出力回路７１（１）内のＮＯＲ回路７１１（１）はハイレベルの信号を出力する。
すなわち、この段階における初期化信号ＧＰＲＥ[１]はハイレベルである。
【００３９】
他方、この段階において、デコーダ５３（１）はローレベルの変換原信号を出力する。
すなわち、このデコーダ５３（１）内のインバータ５３２（１）には前記ローレベルの原信号が入力するので、当該インバータ５３２（１）はハイレベルの信号を出力する。他方、次段の原信号生成回路５２（２）は、更にその次段のシフトレジスタ５１（３）がローレベルにパルス信号を出力しているので、なおハイレベルの原信号を出力する。したがって、このデコーダ５３（１）に含まれるＮＡＮＤ回路５３１（１）は、ローレベルの変換原信号を出力する。
また、この段階において、制御信号ＥＭＢＢＧＩＮはローレベルであるので、出力回路７１（１）内のＮＯＲ回路７１２（１）はハイレベルの信号を出力する。
すなわち、この段階における補償制御信号ＧＩＮＩ[１]はハイレベルである。
【００４０】
以上により、第１行目に対応する単位回路Ｐにおいて、前記〔ｉ〕に記したような初期化動作が行われる。
【００４１】
続いて、制御信号ＥＭＢＢＧＰがローレベルからハイレベルに遷移する（図４中の期間γの開始）。
この期間γの段階では、前の期間βから、いま述べた制御信号ＥＭＢＢＧＰの変化だけが生じるので、出力回路７１（１）中のＮＯＲ回路７１１（１）はローレベルの信号を出力する。
すなわち、この期間γにおいて、初期化信号ＧＰＲＥ[１]はハイレベルからローレベルに遷移する。
【００４２】
以上のように、第１行目に対応する単位回路Ｐにおける初期化動作は、クロック信号ＣＬＫの１／４周期分続いて終了する。
また、この期間γの段階では、補償制御信号ＧＩＮＩ[ｉ]は従前に続きなおハイレベルを維持する。これにより、第１行目に対応する単位回路Ｐにおいて、前記〔ｉｉ〕に記したような閾値電圧Ｖｔｈの補償動作が行われる。
このように、第１実施形態では、スタートパルス信号ＳＰがハイレベルとなることを契機として、ノードＡの電位がハイレベルとなり、更に、これが維持されている間に、初期化信号ＧＰＲＥ[１]及び補償制御信号ＧＩＮＩ[１]の２種の信号が単位回路Ｐに供給されて、両動作が調和的に実行されるようになっている。また、この場合特に、ノードＡがハイレベルを維持する間（即ち、シフトレジスタ５１（１）から出力されたパルス信号がハイレベルを維持する間）は、補償制御信号ＧＩＮＩ[１]はハイレベルを維持し、閾値電圧Ｖｔｈの補償動作は一定時間継続するようになっているから、ゲート電位はＶｅｌ−Ｖｔｈにより近づく（即ち、よりよい補償が行われる）ことが可能となっている。このことは、第１実施形態における特徴の１つといえる。
【００４３】
続いて、シフトレジスタ５１（１）から出力されるパルス信号のパルス幅が、スタートパルス信号ＳＰのパルス幅に相当するため、図３のノードＡは、当該時点の経過によりハイレベルからローレベルに遷移する（図４中の期間δの開始）。
この期間δの段階では、シフトレジスタ５１（２）はなおハイレベルを維持しているので、原信号生成回路５２（１）はハイレベルの原信号を出力する。
また、この段階においては、制御信号ＥＭＢＢＧＰはローレベルであるので、出力回路７１（１）内のＮＯＲ回路７１１（１）はローレベルの信号を出力する。
すなわち、この段階における初期化信号ＧＰＲＥ[１]はなおローレベルを維持する。
【００４４】
他方、この段階において、デコーダ５３（１）はハイレベルの変換原信号を出力する。
すなわち、このデコーダ５３（１）内のインバータ５３２（１）には前記ハイレベルの原信号が入力するので、当該インバータ５３２（１）はローレベルの信号を出力する。他方、次段の原信号生成回路５２（２）は、その更に次段のシフトレジスタ５２（３）がハイレベルのパルス信号を出力するようになるので（ただし、それについては不図示）、ローレベルの原信号を出力する。したがって、このデコーダ５３（１）に含まれるＮＡＮＤ回路５３１（１）は、ハイレベルの変換原信号を出力する。
また、この段階において、制御信号ＥＭＢＢＧＩＮはローレベルであるので、出力回路７１（１）内のＮＯＲ回路７１２（１）はローレベルの信号を出力する。
すなわち、この段階における補償制御信号ＧＩＮＩ[１]はハイレベルからローレベルに遷移する。
【００４５】
以上のように、第１行目に対応する単位回路Ｐにおける補償動作は、既に述べたように、クロック信号ＣＬＫの１／４周期分続いて終了する。
また、この期間δの段階においては、次段の初期化信号ＧＰＲＥ[２] 及び補償制御信号ＧＩＮＩ[２]がともに、ローレベルからハイレベルに遷移する。これは、シフトレジスタ５１（２）及び５１（３）がハイレベルのパルス信号の出力を開始することによる帰結である。この動作の機序は、基本的には、前述の期間βの段階における場合と同じである（ただし、信号生成に関与する信号生成回路５２（ｉ）及びデコーダ５３（ｉ）は当然変化する。）
以上により、第２行目に対応する単位回路Ｐにおいては、前記〔ｉ〕に記したような初期化動作が行われる。
【００４６】
以後は、各行に対応する初期化信号ＧＰＲＥ[ｉ]及び補償制御信号ＧＩＮＩ[ｉ]に関して、上述した期間α〜δとして述べた動作が、基本的に繰り返し行われる。
【００４７】
以上述べたように、第１実施形態に係る有機ＥＬ装置１００、特にその構成要素であるＰＲＥ・ＩＮＩ信号生成回路５０によれば、原信号から初期化信号ＧＰＲＥ[ｉ]が生成され、また、この原信号に基づき生成される変換原信号から補償制御信号ＧＩＮＩ[ｉ]が生成されるようになっている（デコーダ５３（ｉ）の関与の有無という観点からいえば、実質的には、補償制御信号ＧＩＮＩ[ｉ]は初期化信号ＧＰＲＥ[ｉ]に基づいて生成されている、といえる。図３参照）。つまり、この形態では、単位回路Ｐを制御するための２種類の制御信号が、基本的に、原信号のみから生成されるようになっているので、例えば両信号を別個の回路構成によって生成する場合等と比べて、その分の回路規模を縮小することができる。その様子は、視覚的に図５及び図６において示される。すなわち、図６は従来例であって、走査線駆動回路１０３が、発光制御信号ＧＥＬ [ｉ]、走査信号ＧＷＲＴ[ｉ]、初期化信号ＧＰＲＥ[ｉ]、及び補償制御信号ＧＩＮＩ[ｉ]それぞれのための信号生成回路６１，６２，６３，６４を含んで構成される必要があったところ、第１実施形態によれば、図５に示すように、このうちの後二者を、１個のＰＲＥ・ＩＮＩ信号生成回路５０にまとめることができる。
このように、第１実施形態によれば、回路規模の縮小化、さらには有機ＥＬ装置１００全体の小型化が実現される。
【００４８】
また、第１実施形態では、前述した各種信号生成の際、スタートパルス信号ＳＰとしては、ただ１種類のパルス信号のみが用いられている。しかも、このパルス信号がアクティブとなるのは、１フレームごとに１回だけである。したがって、第１実施形態によれば、従来のように、異なるパルス幅をもつ信号を生成するなどという場合に要求されるような複雑な処理を実施する必要がなく、また、ＰＲＥ・ＩＮＩ信号生成回路５０内での貫通電流や寄生容量の充放電等によって消費電力が増大するといった懸念も殆どない。
【００４９】
＜第２実施形態＞
以下では、本発明に係る第２実施形態について図７を参照しながら説明する。なお、この第２実施形態は、転送方向制御信号ＤＩＲ等を利用する点を除いて、上記第１実施形態と本質的に相違はない。したがって、以下では、両実施形態間で相違のない事項については、その説明を適宜簡略化するか、あるいは省略する。
【００５０】
第２実施形態に係るＰＲＥ・ＩＮＩ信号生成回路５０Ａは、図７に示すように、転送方向制御信号ＤＩＲ及び反転転送方向制御信号／ＤＩＲを供給する制御線を備えている。
これら両信号（ＤＩＲ，／ＤＩＲ）は、一方が常時ハイレベルであるときは他方が常時ローレベルに、他方が常時ハイレベルであるときは一方が常時ローレベルになる。
【００５１】
これら両信号（ＤＩＲ，／ＤＩＲ）は、シフトレジスタ５１（ｉ）に入力する。
また、これら両信号（ＤＩＲ，／ＤＩＲ）は、デコーダ５４（ｉ）に入力する。
このデコーダ５４（ｉ）は、第１実施形態とは異なり、より具体的には例えば、図７に示すように、第１及び第２トランスミッションゲート５４３（ｉ）及び５４４（ｉ）を含む。なお、このデコーダ５４（ｉ）も、ＮＡＮＤ回路５４１（ｉ）及びインバータ５４２（ｉ）を含む点では、第１実施形態におけるデコーダ５３（ｉ）と同様である。
第１トランスミッションゲート５４３（ｉ）は、転送方向制御信号ＤＩＲがハイレベルのときに導通状態となり、あるいは、反転転送方向制御信号／ＤＩＲがローレベルのときに導通状態となる。その反対のレベルのときにはハイインピーダンス状態となる。
第２トランスミッションゲート５４４（ｉ）は、転送方向制御信号ＤＩＲがローレベルのときに導通状態となり、その反対のハイレベルのときにハイインピーダンス状態となる。
なお、例えば、デコーダ５４（２）は、その前段の原信号生成回路５２（１）から出力される原信号の入力を受ける。この原信号は、当該デコーダ５４（２）内の第１トランスミッションゲート５４３（２）の一端に入力する。デコーダ５４（３）以後の各デコーダ５４（ｉ）についても同様である。なお、この場合、第１段目のデコーダ５４（１）に含まれる第１トランスミッションゲート５４３（１）は、適当な初期信号の入力を受ける。
【００５２】
これら第１及び第２トランスミッションゲート５４３（ｉ）及び５４４（ｉ）は、図１において、走査線駆動回路１０３から出力されるべき初期化信号ＧＰＲＥ[ｉ]等の各信号が、図中上から下に向かって（即ち、第１行目から第Ｎ行目に向かって）順にアクティブとなるようにするか、又は、図中下から上に向かって（即ち、第Ｎ行目から第１行目に向かって）順にアクティブとなるようにするかの役割を担う。
転送方向制御信号ＤＩＲがハイレベルで、反転転送方向制御信号／ＤＩＲがローレベルの時には、前述のように、第１トランスミッションゲート５４３（ｉ）は導通状態となり、第２トランスミッションゲート５４４（ｉ）がハイインピーダンス状態となるから、原信号生成回路５２（ｉ）で生成された原信号が、その後段のデコーダ５４（ｉ＋１）で利用されるということになる。他方、その逆の時には、原信号生成回路５２（ｉ）で生成された原信号が、その前段のデコーダ５４（ｉ−１）で利用されるということになる。
【００５３】
以上のような第１及び第２トランスミッションゲート５４３（ｉ）及び５４４（ｉ）の作用によると、図８に示すように、第Ｎ行目の初期化信号ＧＰＲＥ[Ｎ]及び補償制御信号ＧＩＮＩ[Ｎ]がローレベルからハイレベルに遷移し、以後、第（Ｎ−１）行目，第（Ｎ−２）行目，…，第１行目というように、第１実施形態の場合とは逆の順番で、単位回路Ｐの初期化動作・補償動作が行われる。
【００５４】
このような第２実施形態によっても、上記第１実施形態によって奏された作用効果と本質的に異ならない作用効果が奏されることは明白である。
【００５５】
＜第３実施形態＞
以下では、本発明に係る第３実施形態について図９及び図１０を参照しながら説明する。なお、この第３実施形態は、出力回路７３（ｉ）と、それに入力する制御信号ＥＭＢＢＧＷ及びＥＭＢＢＧＥＬを利用する点を除いて、上記第１実施形態と本質的に相違はない。したがって、以下では、両実施形態間で相違のない事項については、その説明を適宜簡略化するか、あるいは省略する。
【００５６】
第３実施形態においては、走査線駆動回路１０３は、ＰＲＥ・ＩＮＩ信号生成回路５０を含むのではなく、全信号生成回路５０Ｂを含む。この全信号生成回路５０Ｂは、その名が示唆するように、前述した初期化信号ＧＰＲＥ[ｉ]、補償制御信号ＧＩＮＩ[ｉ]、走査信号ＧＷＲＴ[ｉ]及び発光制御信号ＧＥＬ[ｉ]のすべてを生成する。
【００５７】
この全信号生成回路５０Ｂは、図９に示すように、出力回路７３（ｉ）を含む。
この出力回路７３（ｉ）は、上記第１実施形態と異なって、より具体的には例えば、４つのＮＯＲ回路７３１（ｉ），７３２（ｉ），７３３（ｉ）及び７３４（ｉ）を含む。これらのＮＯＲ回路７３１（ｉ）〜７３４（ｉ）は、それぞれ、２つの負論理入力端をもつ。
ＮＯＲ回路７３１（ｉ）及び７３２（ｉ）は、上述の第１実施形態と相違ない。すなわち、ＮＯＲ回路７３１（ｉ）は、原信号及び制御信号ＥＭＢＢＧＰの入力を受けて、初期化信号ＧＰＲＥ[ｉ]を出力し、ＮＯＲ回路７３２（ｉ）は、変換原信号及び制御信号ＥＭＢＢＧＩＮの入力を受けて、補償制御信号ＧＩＮＩ[ｉ]を出力する。
【００５８】
他方、ＮＯＲ回路７３３（ｉ）は、その一方の入力端子にデコーダ５３（ｉ）内のインバータ５３２（ｉ）からの出力を受け、その他方の入力端子に制御信号ＥＭＢＢＧＥＬの入力を受ける。ＮＯＲ回路７３３（ｉ）は、これら各信号の論理関係に応じて、ハイレベル又はローレベルの発光制御信号ＧＥＬ[ｉ]を出力する。
また、ＮＯＲ回路７３４（ｉ）は、その一方の入力端子に後段に位置するデコーダ５３（ｉ＋１）の出力を受け、その他方の入力端子に制御信号ＥＭＢＢＧＷの入力を受ける。ＮＯＲ回路７３４（ｉ）は、これら各信号の論理関係に応じて、ハイレベル又はローレベルの発光制御信号ＧＥＬ[ｉ]を出力する。
【００５９】
このような第３実施形態によっても、前記制御信号ＥＭＢＢＧＷ及びＥＭＢＢＧＥＬのハイレベル及びローレベル間の遷移の態様（即ち、その位相及び周期）を適当に調整すれば、上記第１実施形態によって奏された作用効果と本質的に異ならない作用効果が奏されることは明白である。
しかも、この第３実施形態によれば、全信号生成回路５０Ｂが、初期化信号ＧＰＲＥ[ｉ]及び補償制御信号ＧＩＮＩ[ｉ]に加えて、走査信号ＧＷＲＴ[ｉ]及び発光制御信号ＧＥＬ[ｉ]をも生成することから、図１０に示すように、図５と比べても回路規模の縮小化が実現される。
【００６０】
以上、本発明に係る実施の形態について説明したが、本発明に係る発光装置は、上述した形態に限定されることはなく、各種の変形が可能である。
（１）  上記第１実施形態では、例えば図４に示すように、前記〔ｉ〕の初期化動作が一定期間行なわれた後、前記〔ｉｉ〕の補償動作が行われる例（であって、その後、初期化動作は行われない例）について説明しているが、本発明は、かかる形態に限定されない。
例えば、図１１に示すように、初期化信号ＧＰＲＥ[ｉ]が、補償動作が行われた後、特に前記〔ｉｉｉ〕の書込動作の後にも発せられるようになっていてもよい。図１１では特に、書込動作が行われた後、発光期間が開始する前に、初期化動作が更に１回行われている例が示されている。
このような形態によると、駆動トランジスタＴｄｒのドレイン電極の電位が、書込動作の後に初期化電位ＶＳＴに設定されることから、当該ドレイン電極に残存していた電荷が放電されることになる。
前記〔ｉｉｉ〕の補償動作の後には、前述のように、ゲート電位ＶｇはＶｅｌ−Ｖｔｈに漸近するが、このことは、発光制御トランジスタＴｅｌがＯＮ状態とされた直後（即ち、発光期間の開始直後）に、有機ＥＬ素子８に望ましくない電流の供給を行う原因となることがある。これによると、例えば、本来は黒表示を行いたいのに、当該発光期間直後は、灰色表示が行われてしまうなどといった事象が発生してしまうことになる。
図１１の形態によれば、このような不具合が発生しない。というのも、図１１によれば、上述のように、発光期間の開始前に、前記ドレイン電極に残存していた電荷が放電されることになるので、当該ドレイン電極から有機ＥＬ素子８へ移動する電荷に起因した有機ＥＬ素子８の発光を抑制することが可能となるからである。
【００６１】
（２）  上記第１実施形態では、ある１本の走査線３（即ち、４本の配線）が、第ｉ行目に対応する単位回路Ｐを動作させるために必要な信号のすべてを供給するようになっているが、本発明は、かかる形態に限定されない。
例えば、図１２に示すように、前段の、あるいは自段の単位回路Ｐに供される走査信号ＧＷＲＴ[ｉ]が、その次段の段位回路Ｐに供される補償制御信号ＧＩＮＩ[ｉ＋１]と共用されるようになっていてもよい（図中符号Ｃｓ参照）。その他の共用態様も場合によっては考えられる。この場合、ある１本の走査線３が、隣接する２段分の単位回路Ｐを動作させるために必要な信号を供給しているということができる。
このような形態によれば、いったん発生させた信号の利用効率が高まり、また、図から明らかなように走査線３の配線数を減少することができるから、回路規模の縮小化、画素開口率の向上等の各種効果が奏されることになる。
【００６２】
（３）  上記実施形態では、図２に示したような構成をもつ単位回路Ｐについて説明しているが、本発明は、かかる形態に限定されない。本発明は、基本的に、現状提案されている有機ＥＬ素子８を駆動するための単位回路であれば、どのような構成をもつものであっても、その範囲内に含む。
なお、この場合、単位回路の構成の相違に応じて、本発明にいう「補償制御信号」、あるいは「初期化信号」は、上記実施形態における利用形態ないし態様に比べて、異なることになると考えられるが、そのような場合であっても、当該の単位回路内で「補償制御信号」・「初期化信号」と呼びうる、あるいは、そのような機能をもつ信号が用いられる限り、本発明はそれを範囲内に収める。
本発明において、「駆動トランジスタの閾値電圧を補償するための補償制御信号」、あるいは「駆動トランジスタのゲート電位を初期化するための初期化信号」というように、やや一般的な規定のされ方がなされているのは、このような事情への配慮である。
【００６３】
＜応用＞
次に、上記実施形態に係る有機ＥＬ装置１００を適用した電子機器について説明する。
図１３は、上記実施形態に係る有機ＥＬ装置１００を画像表示装置に利用したモバイル型のパーソナルコンピュータの構成を示す斜視図である。パーソナルコンピュータ２０００は、表示装置としての有機ＥＬ装置１００と本体部２０１０とを備える。本体部２０１０には、電源スイッチ２００１およびキーボード２００２が設けられている。
図１４に、上記実施形態に係る有機ＥＬ装置１００を適用した携帯電話機を示す。携帯電話機３０００は、複数の操作ボタン３００１およびスクロールボタン３００２、ならびに表示装置としての有機ＥＬ装置１００を備える。スクロールボタン３００２を操作することによって、有機ＥＬ装置１００に表示される画面がスクロールされる。
図１５に、上記実施形態に係る有機ＥＬ装置１００を適用した情報携帯端末（ＰＤＡ：Personal Digital Assistant）を示す。情報携帯端末４０００は、複数の操作ボタン４００１および電源スイッチ４００２、ならびに表示装置としての有機ＥＬ装置１００を備える。電源スイッチ４００２を操作すると、住所録やスケジュール帳といった各種の情報が有機ＥＬ装置１００に表示される。
【００６４】
本発明に係る有機ＥＬ装置が適用される電子機器としては、図１３から図１５に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【符号の説明】
【００６５】
１００……有機ＥＬ装置、７……素子基板、７ａ……画像表示領域、８……有機ＥＬ素子、１０３……走査線駆動回路、１０６……データ線駆動回路、３００……タイミング発生回路、Ｖｅｌ……高電源電位、ＶＣＴ……低電源電位、Ｐ……単位回路、Ｔｄｒ……駆動トランジスタ、５０，５０Ａ……ＰＲＥ・ＩＮＩ信号生成回路、５１（ｉ）……シフトレジスタ、５２（ｉ）……原信号生成回路、５２１（ｉ）……ＮＡＮＤ回路、５３（ｉ）……デコーダ回路、５３１（ｉ）……ＮＡＮＤ回路、５３２（ｉ）……インバータ、７１（ｉ），７３（ｉ）……出力回路、７１１（ｉ），７１２（ｉ），７３１（ｉ）〜７３４（ｉ）……ＮＯＲ回路、ＳＰ……スタートパルス信号、ＣＬＫ……クロック信号、ＧＰＲＥ[ｉ]……初期化信号、ＧＩＮＩ[ｉ]……補償制御信号、ＧＷＲＴ[ｉ]……走査信号、ＧＥＬ[ｉ]……発光制御信号
【図１】
2010175586.tif 000003
【図２】
2010175586.tif 000004
【図３】
2010175586.tif 000005
【図４】
2010175586.tif 000006
【図５】
2010175586.tif 000007
【図６】
2010175586.tif 000008
【図７】
2010175586.tif 000009
【図８】
2010175586.tif 000010
【図９】
2010175586.tif 000011
【図１０】
2010175586.tif 000012
【図１１】
2010175586.tif 000013
【図１２】
2010175586.tif 000014
【図１３】
2010175586.tif 000015
【図１４】
2010175586.tif 000016
【図１５】
2010175586.tif 000017